(57)【要約】【課題】シート状品のサイズが変わったものでも、一つの収納ケースでそれぞれのシート状品を動かないようにして積層状態で収納し、シート状品の搬送及び保管に便利なシート状品の収納ケースを提供する。【解決手段】底板１１ａの周囲に立設された側板１４〜２１を備えたケース本体１１とこれに着脱自在な蓋１２とを有し、シート状品２６を積層して収納する収納ケース１０であって、ケース本体１１内には、収納されるシート状品２６のサイズに応じて位置決め固定する着脱自在な位置決めブロック１３を備え、底板１１ａには、位置決めブロック１３の底部に突出して設けられている係止用突起４６、４７が嵌入する係合孔３１が、シート状品２６のサイズに応じて複数箇所設けられ、しかも、係止用突起４６、４７を除く位置決めブロック１３の高さは、シート状品２６の積層高さに相当する高さを有する。【選択図】　　　　図１
2004014585.tif 000002
【特許請求の範囲】
【請求項１】
底板及び該底板の周囲に立設された側板を備えたケース本体と、該ケース本体に着脱自在な蓋とを有し、シート状品を積層して収納するシート状品の収納ケースであって、
前記ケース本体内には、収納される前記シート状品のサイズに応じて該シート状品を位置決め固定する着脱自在な位置決めブロックを備え、
前記底板には、該位置決めブロックの底部に突出して設けられている係止用突起が嵌入する係合孔が、前記シート状品のサイズに応じて位置を変えて複数箇所設けられ、
しかも、前記係止用突起を除く前記位置決めブロックの高さは、前記シート状品の積層高さに相当する高さを有することを特徴とするシート状品の収納ケース。
【請求項２】
請求項１記載のシート状品の収納ケースにおいて、前記位置決めブロックには、それぞれ複数の前記係止用突起が設けられていることを特徴とするシート状品の収納ケース。
【請求項３】
請求項１及び２のいずれか１項に記載のシート状品の収納ケースにおいて、前記底板は矩形であって、収納される前記シート状品の一端を前記側板の１又は隣接する２に当接させた場合、該シート状品の他端を位置決めする前記位置決めブロックの係止用突起が嵌入する前記係合孔が前記底板に偏って配置されていることを特徴とするシート状品の収納ケース。
【請求項４】
請求項１及び２のいずれか１項に記載のシート状品の収納ケースにおいて、前記底板は矩形であって、前記収納ケースに２箇所に離れて収納される前記シート状品の一端を前記ケース本体の長手方向の両側の前記側板にそれぞれ当接させた場合、それぞれ前記シート状品の他端を位置決めする１又は２以上の前記位置決めブロックの係止用突起が嵌入する前記係合孔が、前記底板の中間に配置されていることを特徴とするシート状品の収納ケース。
【発明の詳細な説明】
【０００１】
【発明の属する技術分野】
本発明は、半導体回路を搭載するリードフレーム等の薄板状のシート状品を収納するケース（容器）に関する。
【０００２】
【従来の技術】
シート状品、例えばリードフレーム等はリードが細く、また昨今の多ピン化によりリードは更に細くなり、外力の作用によって変形し易くなっている。これらリードフレームの短冊状品は、その変形を防止すると共に外部からの保護を図るために、一般には収納ケースに積層状態で収納されて、保管、後工程への搬送、あるいは客先等へ持ち運びが行われている。
【０００３】
【発明が解決しようとする課題】
しかしながら、リードフレームは多種あってそのサイズも種々あり、リードフレームのサイズに合わせて多種類の収納ケースを準備しておくには、多種の収納ケースを製造しなければならないのでコストがかかり、更には保管場所が嵩み、また、リードフレームに応じてこれらの収納ケースを選択して使用しなければならないので、使用や保管管理が大変であるという問題がある。
ここで、勿論大型の収納ケースを用意して、サイズが異なる多種のリードフレームを収納した後、発泡プラスチック等の適当な充填材を入れて、リードフレームを保持させるようにすることも可能であるが、搬送中にリードフレームがずれたりして変形を起こすことがあり、更には充填材の繰り返し使用が困難であるという問題があった。
このような問題は、リードフレーム以外のサイズの異なるシート状品を入れる収納ケースについても共通に発生する問題であった。
本発明はかかる事情に鑑みてなされたもので、シート状品のサイズが変わったものでも、同じ収納ケースでそれぞれのシート状品を動かないようにして積層状態で収納し、シート状品の搬送及び保管に便利なシート状品の収納ケースを提供することを目的とする。
【０００４】
【課題を解決するための手段】
前記目的に沿う第１の発明に係るシート状品の収納ケースは、底板及び該底板の周囲に立設された側板を備えたケース本体と、該ケース本体に着脱自在な蓋とを有し、シート状品を積層して収納するシート状品の収納ケースであって、前記ケース本体内には、収納される前記シート状品のサイズに応じて該シート状品を位置決め固定する着脱自在な位置決めブロックを備え、前記底板には、該位置決めブロックの底部に突出して設けられている係止用突起が嵌入する係合孔が、前記シート状品のサイズに応じて位置を変えて複数箇所設けられ、しかも、前記係止用突起を除く前記位置決めブロックの高さは、前記シート状品の積層高さに相当する高さ、即ち、収納ケースに蓋をした場合、収納ケースの底板表面から蓋の裏面までの高さ（内側高さ）を有する。ここで、係合孔は底板を貫通する場合の他、底板を貫通しない場合もある。
【０００５】
第１の発明において、シート状品の寸法が収納ケースの内側寸法より小さく、しかも予め寸法が分かっていることを前提とする。これによって、シート状品を収納ケースに、例えば一方側に片寄せして入れた場合、他方側にスペースが生じるので、このスペースの底板に係合孔を設け、係合孔を利用して位置決めブロックを固定し、シート状品の縦横移動を防止する。この場合、位置決めブロックの寸法も予め決められるので、位置決めブロックの係止用突起が嵌入する係合孔の位置も決まることになり、これによって、如何ようなサイズのシート状品を収納ケースに入れても、位置決めブロックで固定できる。従って、底板に予め収納する複数種類のシート状品に対応させて、位置決めブロックの係止用突起が嵌入する係合孔を設けておくことによって収納ケースは複数種類のシート状品を収納できる。
更に、位置決めブロックの高さは、収納ケースの内側高さ、即ちシート状品の積層高さにしているので、積層したシート状品の縦横移動が防止される。また、この収納ケースには蓋が設けられているので、蓋によって位置決めブロックが抜けるのを防止できる。
【０００６】
第２の発明に係るシート状品の収納ケースは、第１の発明に係るシート状品の収納ケースにおいて、前記位置決めブロックには、それぞれ複数の前記係止用突起が設けられている。これによって、位置決めブロックの回転を確実に防止でき、更には、係止用突起を係合孔に確実に固定できる。なお、一つの位置決めブロックに対して一つの係止用突起を設ける場合には、係止用突起を断面非円形（例えば、角形、楕円等）にして位置決めブロックの回転を防止することができる。
【０００７】
また、第３の発明に係るシート状品の収納ケースは、第１、第２の発明に係るシート状品の収納ケースにおいて、前記底板は矩形であって、収納される前記シート状品の一端を前記側板の１又は隣接する２に当接させた場合、該シート状品の他端を位置決めする前記位置決めブロックの係止用突起が嵌入する前記係合孔が前記底板に偏って配置されている。
そして、第４の発明に係るシート状品の収納ケースは、第１、第２の発明に係るシート状品の収納ケースにおいて、前記底板は矩形であって、前記収納ケースに２箇所に離れて収納される前記シート状品の一端を前記ケース本体の長手方向の両側の前記側板にそれぞれ当接させた場合、それぞれ前記シート状品の他端を位置決めする１又は２以上の前記位置決めブロックの係止用突起が嵌入する前記係合孔が、前記底板の中間に配置されている。
第３、第４の発明によって、収納ケースの側板の一つ又は隣り合う２つをシート状品の片側の位置決め材として使用できる。
【０００８】
【発明の実施の形態】
続いて、添付した図面を参照しつつ、本発明を具体化した実施の形態につき説明し、本発明の理解に供する。
図１は本発明の一実施の形態に係るシート状品の収納ケースの一部切欠き側面図、図２（Ａ）、（Ｂ）は同収納ケースの蓋の側面図及び平面図、図３は同収納ケースの斜視図、図４（Ａ）〜（Ｄ）はそれぞれ同収納ケースに使用する位置決めブロックの斜視図、図５及び図６はそれぞれ同収納ケースの使用状態を示す平面図である。
【０００９】
図１〜図６に示すように、本発明の一実施の形態に係るシート状品の収納ケース（以下、単に「収納ケース」という）１０は、比較的硬質のプラスチック（例えば、ＡＢＳ、ＰＰ、廃棄処理された熱可塑性プラスチックを溶かし合わせた複合プラスチックや金属等からなって、縦長のケース本体１１とその上に着脱可能に被さる蓋１２と、ケース本体１１内にその位置を変えて着脱可能な１又は２以上の位置決めブロック１３とを有している。ケース本体１１は、平面視して矩形の底板１１ａを有し、長手方向に対向する側板１４、１５を備え、長手方向と直交する方向（幅狭方向）の底板１１ａの両側にはそれぞれ３つに分割された側板１６〜１８、１９〜２１とを有している。側板１６と側板１７との間、側板１７と側板１８の間、及び側板１９と側板２０との間、側板２０と側板２１の間には、それぞれ上方に開く開放部２２〜２５が形成され、収納されたシート状品の一例であるリードフレーム２６が見えるようになっている。また、開放部２２〜２５に連接する底板１１ａの端部には深さが２〜５ｍｍ程度の切り込み２７〜３０が形成されて、片側に寄せて配置されたリードフレーム２６に指が直接当たり、その取り出しが可能となっている。なお、図１、図３に示す収納ケース１０にはリードフレーム２６は収納されていない。
【００１０】
底板１１ａは上側は平面状となって、所定位置にそれぞれ形成された多数の係合孔３１を有し、下側には断面四角形の補強用のリブ３２が格子状に設けられている。
一方、側板１４、１５の両端は、それぞれ側板１６、１９及び側板１８、２１に連結されている。側板１４、１５の中間位置にはそれぞれ上下方向に長い２本の切れ目３３〜３６が形成されている。この切れ目３３〜３６の何れか１又は２以上を通じて内部に積層状態で収納されたリードフレーム２６の端面を目視できる。各切れ目３３〜３６の上端は、以下に説明する連結部４２によって連接されて、蓋１２の長手方向両側にそれぞれ左右対となって突出する突起３７、３８が嵌入するようになっている。
【００１１】
前記蓋１２は、図２、図３に示すように、下部平面の一枚の板材３９とその上に配置されている格子状の補強リブ４０と、板材３９の上側に板材３９の周端部を超えて形成されている枠４１とを有している。板材３９の大きさは、側板１４〜２１に囲まれるケース本体１１の内部に丁度嵌入する広さとなって、枠４１は側板１４〜２１の上端部に載ってストッパーとして働き、板材３９のケース本体１１内への落ち込みを防止している。枠４１の周囲の平面的大きさは、ケース本体１１を平面視した大きさとなって、蓋１２がケース本体１１に丁度の寸法で被さるようになっている。
【００１２】
この蓋１２の長手方向の両側には前述のように突起３７、３８が設けられている。この突起３７、３８は板材３９の下端に設けられ、蓋１２をケース本体１１に被せた場合、突起３７、３８が側板１４、１５の切れ目３３〜３６に嵌入し、しかも、図１の部分拡大図に示すように、突起３７、３８の上端が切れ目３３〜３６の上端の連結部４２の下端に当接するように、その上下及び左右位置が決定されている。これらの連結部４２の上側には、上部から押し込まれる突起３７、３８の滑り性を考慮してその内側位置に傾斜４３がそれぞれ設けられている。なお、図２（Ｂ）に示すように突起３７、３８の上位置に対応する枠４１には突起３７、３８より幅広の切欠き４４が設けられている。
【００１３】
前記した位置決めブロック１３は、図４（Ａ）、（Ｂ）に示すように升状かつ全体として立方体形状のブロック本体４５と、その下端部（底部）に突出して設けられている複数の係止用突起４６、４７とを有している。係止用突起４６、４７の先端には面取りがなされて、係合孔３１への嵌入を容易にさせている。なお、係止用突起４６、４７の外形寸法及びこれらの間隔は予め決定されている。係止用突起４６、４７の基側周囲には浅い窪みが形成されて係止用突起４６、４７が根元まで係合孔３１へ入り込むようになっている。また、係止用突起４６、４７は、ブロック本体４５の底面に対して左右対称及び軸対称に形成されて、位置決めブロック１３を係止用突起４６、４７を下にして１８０度水平方向に回転させても、回転前の状態と同一になるように設計されている。
そして、位置決めブロック１３の係止用突起４６、４７を除いた高さは、ケース本体１１に蓋１２を被せた場合の、ケース本体１１の底板１１ａの上表面から蓋１２の下表面（裏面）までの高さに一致させている。
【００１４】
また、図４（Ｃ）、（Ｄ）には、別の位置決めブロック４８が示されているが、ブロック本体４９の底部には２個の係止用突起５０、５１が突出して設けられている。係止用突起５０、５１の寸法及び間隔は、前記した係止用突起４６、４７と同じで先端は面取りが、基部周囲には浅い窪みが設けられている。また、位置決めブロック４８の高さも位置決めブロック１３と同様である。
前記した位置決めブロック１３は平面視して正方形であったが、この位置決めブロック４８は、平面視して、一つの対向する辺の寸法が前記した正方形の一辺の半分の寸法の長方形となっている。ブロック本体４９の底部に設けられている係止用突起５０、５１は、底部長方形の中心に対して左右対称及び軸対称に形成されている。
【００１５】
ケース本体１１に収納されるリードフレーム２６は複数種類あり、そのサイズ（外形寸法ａ、ｂ）は正確に分かっているし、位置決めブロック１３の寸法（一辺がｗ）及び位置決めブロック４８の寸法（ｗ、ｗ／２）も予め決めている。従って、底板１１ａに設けられる複数の係合孔３１は以下のようにして形成する。即ち、図５に示すようなリードフレーム２６をこの収納ケース１０に収納する場合には、リードフレーム２６の長辺及び短辺のそれぞれ一端を側板１９〜２１、側板１４に当接させ、リードフレーム２６の他の長辺の一端に当接するように、位置決めブロック１３の位置が決定される。従って、ケース本体１１の一つの隅部を（０、０）とするｘｙ座標を仮定した場合、リードフレーム２６の幅方向の移動を止める２の位置決めブロック１３のｙ座標位置は、（ａ＋ｗ／２）となる。この２つの位置決めブロック１３のｘ座標位置は、リードフレーム２６の長辺に当接する位置であれば任意であるが、好ましくは、以下の式（１）、（２）を満足する範囲に設定するのがよい。
ｘ１＝（１／５〜１／３）×ｂ　　　　　　　　　　・・・・・（１）
ｘ１＋ｘ２＝（２／３〜４／５）×ｂ　　　　　　　・・・・・（２）
【００１６】
次に、リードフレーム２６の長手方向の一端を固定する位置決めブロック４８のｘ座標位置は、（ｂ＋ｗ／４）とする。この場合、位置決めブロック４８の中心のｙ座標位置は、（ａ／２〜２ａ／３）程度とするのが好ましい。なお、リードフレーム２６の長さｂが十分に短い場合には、位置決めブロック４８の代わりに位置決めブロック１３を使用することもできる。
この収納ケース１０に収めるリードフレームの種類が多数あって、図５に示すように、リードフレームの２つの端部を側板に片寄せして収納する場合には、上記方法によって係合孔３１の位置を決定する。
この状態で、リードフレーム２６を収納ケース１０の内側高さ一杯まで積層してケース本体１１に入れ、蓋１２を被せると、積層されたリードフレーム２６の最上部と位置決めブロック１３、４８の最上部が蓋１２によって固定されるので、収納ケース１０からリードフレーム２６が漏れたり、縦横に移動したり、また位置決めブロック１３、４８が外れることはない。
【００１７】
次に、図６に示すように、リードフレーム５３の幅方向の寸法が収納ケース１０の内幅ｇと同一で、その長さ方向の寸法ｃが、収納ケース１０の長さｅの半分よりｗ／２だけ短い場合、即ち（ｅ−ｗ）／２の場合には、リードフレーム５３を２列に離間して収納ケース１０に収納できる。この場合、リードフレーム５３の一端をそれぞれ側板１４、１５に当接させるようにして積層配置すると、収納ケース１０の長手方向中間部に幅ｗの隙間ができるので、この部分に位置決めブロック１３を収納できるように係合孔３１を底板１１ａに形成している。
【００１８】
リードフレームの幅が収納ケース１０の内幅ｇより短い場合には、更に側板１６〜１８と積層されたリードフレームとの間に位置決めブロックが入るように設計する。
また、蓋１２を閉めた状態ではその突起３７、３８は確実に切れ目３３〜３６に入って、連結部４２で外れるのがブロックされている。蓋１２をケース本体１１から外す場合には、蓋１２の中央部を持ち上げて湾曲させ、片側の突起３７、３８の位置を後退させて、切れ目３３、３４（又は３５、３６）から外した後、蓋１２をケース本体１１から外す。
前記実施の形態においては、位置決めブロック１３、４８は、位置決めブロック１３、４８の側面がリードフレームに当接するように配置するのであれば、その取付け方向は任意である。
前記実施の形態においては、位置決めブロック１３、４８は２つの係止用突起が設けられていたが、更に１つあるいは更に多数であっても本発明は適用される。そして、前記実施の形態においては、シート状品がリードフレームである場合について説明したが、その他のシート状品（例えば、素子が搭載されたメモリーカード、キャッシュカード、基板等）であっても本発明は適用される。
【００１９】
【発明の効果】
請求項１〜４記載のシート状品の収納ケースは以上の説明からも明らかなように、ケース本体内には、収納されるシート状品のサイズに応じてシート状品を位置決め固定する着脱自在な位置決めブロックを備え、底板には、位置決めブロックの底部に突出して設けられている係止用突起が嵌入する係合孔が、シート状品のサイズに応じて位置を変えて複数箇所設けられ、しかも、係止用突起を除く位置決めブロックの高さは、シート状品の積層高さに相当する高さを有するので、一つのシート状品の収納ケースを複数種類のシート状品の収納に使用できる。即ち、収納しようとするシート状品のサイズが変わった場合には、一旦位置決めブロックを底板から外して、収納しようとするサイズにあった係合孔に位置決めブロックの係止用突起を入れることによって、位置決めブロックの取付け位置を変えて、シート状品を動かないようにしてシート状品の収納ケースに収納できる。従って、シート状品の搬送や保管に便宜がある。
更には、位置決めブロックの高さもシート状品の積層高さに一致するので、収納されたシート状品の縦横移動を確実に防止できると共に、ケース本体に蓋を被せることによって、位置決めブロックの脱落も防止できる。
特に、請求項２記載のシート状品の収納ケースは、位置決めブロックには、それぞれ複数の係止用突起が設けられているので、位置決めブロックの回転が防止でき、位置決めブロックの特定の面を確実にシート状品に当接させることができる。
請求項３記載のシート状品の収納ケースは、底板は矩形であって、収納されるシート状品の一端を側板の１又は隣接する２に当接させた場合、シート状品の他端を位置決めする位置決めブロックの係止用突起が嵌入する係合孔が底板に偏って配置されているので、側板をシート状品の一つのガイドとしてシート状品を収納することができる。
そして、請求項４記載のシート状品の収納ケースにおいて、底板は矩形であって、収納ケースに２箇所に離れて収納されるシート状品の一端をケース本体の長手方向の両側の側板にそれぞれ当接させた場合、それぞれシート状品の他端を位置決めする１又は２以上の位置決めブロックの係止用突起が嵌入する係合孔が、底板の中間に配置されているので、１つの収納ケースに２箇所に渡ってシート状品を収納できる。
【図面の簡単な説明】
【図１】本発明の一実施の形態に係るシート状品の収納ケースの一部切欠き側面図である。
【図２】（Ａ）、（Ｂ）は同収納ケースの蓋の側面図及び平面図である。
【図３】同収納ケースの斜視図である。
【図４】（Ａ）〜（Ｄ）はそれぞれ同収納ケースに使用する位置決めブロックの斜視図である。
【図５】同収納ケースの使用状態を示す平面図である。
【図６】同収納ケースの使用状態を示す平面図である。
【符号の説明】
１０：シート状品の収納ケース、１１：ケース本体、１１ａ：底板、１２：蓋、１３：位置決めブロック、１４〜２１：側板、２２〜２５：開放部、２６：リードフレーム、２７〜３０：切り込み、３１：係合孔、３２：リブ、３３〜３６：切れ目、３７、３８：突起、３９：板材、４０：補強リブ、４１：枠、４２：連結部、４３：傾斜、４４：切欠き、４５：ブロック本体、４６、４７：係止用突起、４８：位置決めブロック、４９：ブロック本体、５０、５１：係止用突起、５３：リードフレーム
【図１】
2004014585.tif 000003
【図２】
2004014585.tif 000004
【図３】
2004014585.tif 000005
【図４】
2004014585.tif 000006
【図５】
2004014585.tif 000007
【図６】
2004014585.tif 000008